(57)【要約】【課題】装置の起動時の初期化、画像データ送信装置との通信の各処理終了まで、表示モジュールの駆動を停止し、各処理終了後の処理終了信号に応じて表示を開始し、画面乱れを防ぐ。【解決手段】システムリセットして装置を立ち上げる際、表示装置１はイニシャライズ及び画像データ送信装置１１とのデータ通信を開始。イニシャライズ中にタイミングコントローラ６は走査信号ＦＬＭ，Ｍ，ＣＬ１，ＣＬ２を出力し、ＣＰＵ回路からのイニシャライズ終了信号ＩＳは「Ｌ」で、イニシャライズ処理終了まで、ＦＬＭ’信号発生回路５の出力は「Ｌ」となる。イニシャライズ期間中、ＬＣＤモジュール７側の駆動は停止状態となり表示されず、表示装置１と画像データ送信装置１１のデータ通信、イニシャライズの終了確認によりＣＰＵ回路のイニシャライス終了信号ＩＳで走査信号ＦＬＭ’が出力され、ＬＣＤモジュール７が駆動して画面乱れなく表示ができる。【選択図】    図１
2005024882.tif 000002
【特許請求の範囲】
【請求項１】
表示対象の画像内容を示す画像データを送信する画像データ送信装置と通信を行って、制御手段で制御され各種走査信号を生成するタイミングコントローラからの前記各種走査信号とともに、前記画像データに基づく表示データを表示モジュールに供給して画面表示させる表示装置であって、
処理終了信号が入力されるまで、前記タイミングコントローラで生成する走査信号のうち、予め指定した走査信号の出力を停止する停止手段を備え、前記停止手段が、前記画像データ送信装置間の通信処理、及び前記タイミングコントローラの初期化処理の各処理が終了した後の前記制御手段からの初期化処理の処理終了信号に基づき、出力を停止していた前記走査信号の出力を開始し、前記表示モジュールの駆動を開始させることを特徴とする表示装置。
【請求項２】
表示対象の画像内容を示す画像データを送信する画像データ送信装置と通信を行って、制御手段で制御され各種の走査信号を生成するタイミングコントローラからの前記各種走査信号とともに、前記画像データに基づく表示データを表示モジュールに供給して画面表示させる表示装置であって、
処理終了信号が入力されるまで、前記タイミングコントローラで生成する走査信号のうち、予め指定した走査信号の出力を停止する停止手段を備え、前記停止手段が、前記画像データ送信装置間の通信処理、及び前記タイミングコントローラの初期化処理の各処理が終了した後の前記画像データ送信装置からの通信処理の処理終了信号に基づき、出力を停止していた前記走査信号の出力を開始し、前記表示モジュールの駆動を開始させることを特徴とする表示装置。
【請求項３】
表示対象の画像内容を示す画像データを送信する画像データ送信装置と通信を行って、制御手段で制御され各種の走査信号を生成するタイミングコントローラからの前記各種走査信号とともに、前記画像データに基づく表示データを表示モジュールに供給して画面表示させる表示装置であって、
処理終了信号が入力されるまで、前記タイミングコントローラで生成する走査信号のうち、予め指定した走査信号の出力を停止する停止手段を備え、前記停止手段が、前記画像データ送信装置間の通信処理、及び前記タイミングコントローラの初期化処理の各処理が終了した後の前記画像データ送信装置からの通信処理の処理終了信号、及び前記制御手段からの初期化処理の処理終了信号に基づき、出力を停止していた前記走査信号の出力を開始し、前記表示モジュールの駆動を開始させることを特徴とする表示装置。
【発明の詳細な説明】
【０００１】
【発明の属する技術分野】
本発明は、コンピュータや画像形成装置等の各種電子機器に用いられ表示モジュールとして使用される表示装置に関するものである。
【０００２】
【従来の技術】
パーソナルコンピュータや画像形成装置などの電子機器に搭載される表示装置では、電源投入時やシステムリセット時において表示のちらつきを防止するため、従来より種々の提案がなされている。
【０００３】
特許文献１では電源投入時やシステムリセット時におけるイニシャライズ（初期化）期間中に専用のリセット回路でタイミングコントローラ内から出力する走査信号にリセットをかけて出力しないように制御を行って、イニシャライズ終了後にリセットを解除して走査信号の出力を開始することによって表示画面のちらつきを防止する事例が記載されている。
【０００４】
また、同様に特許文献２にも表示システムにおいて、表示装置単体での初期化処理を行うことが記載されている。
【０００５】
【特許文献１】
特開昭６３−３０４２２８号公報
【特許文献２】
特開平９−５０２６８号公報
【０００６】
【発明が解決しようとする課題】
しかしながら、電子機器に用いられる表示装置では、単にタイミングコントローラが独自にイニシャライズを行うものではなく、表示対象となる画像の内容を示す画像データを画像データ送信装置などの外部機器である他の装置と通信を行いながらイニシャライズを行うことも一般的になっている。したがって、イニシャライズの処理にかかる時間は通信相手先の装置の状態により大きく変動する可能性があり、また、電源電圧変動や温度などの外的条件によって同一装置においてもイニシャライズの処理にかかる時間は変動する可能性があり、その時間を事前に予測することは困難なことである。装置に設けられたリセット回路においては、リセット時間が予め定められたものとなるため、前述のようなイニシャライズの処理時間の変動に対応することは困難であるという問題があった。
【０００７】
本発明は、前記従来技術の問題を解決することに指向するものであり、システムリセットを行って装置を立ち上げる際、イニシャライズが必要な部分の初期化処理、さらには、通信相手先の画像データ送信装置との通信処理が終了するまで、表示モジュールの駆動を停止して、前述の各処理が終了した後の処理終了信号に基づいて表示を開始することから、表示モジュールの画面が乱れのない表示装置を提供することを目的とする。
【０００８】
【課題を解決するための手段】
この目的を達成するために、本発明に係る請求項１に記載されれた表示装置は、表示対象の画像内容を示す画像データを送信する画像データ送信装置と通信を行って、制御手段で制御され各種の走査信号を生成するタイミングコントローラからの各種走査信号とともに、画像データに基づく表示データを表示モジュールに供給して画面表示させる表示装置であって、処理終了信号が入力されるまで、タイミングコントローラで生成する走査信号のうち、予め指定した走査信号の出力を停止する停止手段を備え、この停止手段が、画像データ送信装置間の通信処理、及びタイミングコントローラの初期化処理の各処理が終了した後の制御手段からの初期化処理の処理終了信号に基づき、出力を停止していた走査信号の出力を開始し、表示モジュールの駆動を開始させる構成によって、初期化処理の終了した後の処理終了信号に基づき、停止手段が停止している走査信号を出力して表示モジュールの駆動を開始することから初期化処理を行って表示装置を立ち上げるとき、表示モジュールの画面が乱れないようにすることができる。
【０００９】
また、請求項２，３に記載された表示装置は、停止手段が、画像データ送信装置間の通信処理、及びタイミングコントローラの初期化処理の各処理が終了した後の画像データ送信装置からの通信処理の処理終了信号に基づき、出力を停止していた走査信号の出力を開始し、表示モジュールの駆動を開始させること、また、停止手段が、画像データ送信装置間の通信処理、及びタイミングコントローラの初期化処理の各処理が終了した後の画像データ送信装置からの通信処理の処理終了信号、及び制御手段からの初期化処理の処理終了信号に基づき、出力を停止していた走査信号の出力を開始し、表示モジュールの駆動を開始させる構成によって、画像データ送信装置間の通信処理の終了した後の処理終了信号に基づき、さらに、初期化処理の終了した後の処理終了信号とに基づいて、停止手段が停止している走査信号を出力して表示モジュールの駆動を開始することから通信処理、初期化処理を行って表示装置を立ち上げるとき、表示モジュールの画面が乱れないようにすることができる。
【００１０】
【発明の実施の形態】
以下、図面を参照しながら本発明における実施の形態について詳細に説明する。
【００１１】
図１は本発明の実施の形態の実施例１における表示装置の概略構成を示すブロック図である。図１に示す表示装置１は、表示対象となるフレーム（画像）の内容が書き込まれ、入力されたＶＲＡＭアドレスデータＭＡに応じた番地に書き込まれているキャラクタデータを出力するフレームバッファ２と、フレームバッファ２から出力するキャラクタデータ及びラスタアドレスデータＲＡに応じた文字データＭＤを出力する文字発生器３と、各種のレジスタ４と、後述するタイミングコントローラ６から出力する走査信号ＦＬＭと初期化処理の終了信号であるイニシャライズ終了信号ＩＳに基づき走査信号ＦＬＭ’を出力、または停止する手段のＦＬＭ’信号発生回路５などを有している。
【００１２】
さらに、表示装置１は、制御手段であるＣＰＵ回路（図示せず）から出力した制御信号に基づき、ＶＲＡＭアドレスデータＭＡやラスタアドレスデータＲＡを生成してフレームバッファ２と、文字発生器３とを制御しながら文字データＭＤを取り込む処理、文字データＭＤに基づき表示データＬを生成する処理、及び走査信号ＦＬＭ，走査信号Ｍ，走査信号ＣＬ１，走査信号ＣＬ２を生成する処理を行うタイミングコントローラ６と、タイミングコントローラ６から出力した走査信号Ｍ，走査信号ＣＬ１及び走査信号ＣＬ２並びに走査信号ＦＬＭとイニシャライズ終了信号ＩＳによりＦＬＭ’信号発生回路５から出力した走査信号ＦＬＭ’に基づいて、タイミングコントローラ６から出力した表示データＬを取り込んで画像を表示するＬＣＤモジュール７とを備える。なお、図１に示す各部間を接続する信号線は、その主要部分について表し詳細な部分については省略している。
【００１３】
ここで、ＦＬＭ’信号発生回路５はタイミングコントローラ６から本来各フレームごとに１回出力する走査信号ＦＬＭと、システムリセット時にイニシャライズが終了した後にＣＰＵ回路から出力するイニシャライズ終了信号ＩＳとをＡＮＤゲートに入力して走査信号ＦＬＭ’が出力される構成になっている。
【００１４】
また、表示モジュールのＬＣＤモジュール７は、ＦＬＭ’信号発生回路５，タイミングコントローラ６から出力する走査信号ＦＬＭ’，走査信号Ｍ，走査信号ＣＬ１に基づき、コモン駆動電圧を生成するコモンドライバ８と、同様にタイミングコントローラ６から出力する表示データＬ，走査信号Ｍ，走査信号ＣＬ１，走査信号ＣＬ２に基づき、カラム駆動電圧を生成するカラムドライバ９と、マトリクス状に配置した複数の画素を持ち、コモンドライバ８から出力するコモン駆動電圧、及びカラムドライバ９から出力するカラム駆動電圧に基づき、各画素をＯＮ／ＯＦＦさせて画像を表示するＬＣＤパネル１０とを備えている。
【００１５】
さらに、表示装置１の外部に表示対象となるフレーム（画像）の内容を示す画像データ送信装置１１があり、画像データ送信装置１１は表示装置１内部のＣＰＵ回路により制御されるシリアル、またはパラレル等の通信インタフェース（図示せず）を介して、画像の内容を示す画像データを表示装置１間でデータ授受する通信を行う。
【００１６】
以上のように構成された表示装置において、システムリセットの処理を行って装置を立ち上げると、表示装置１はイニシャライズ及び画像データ送信装置１１との通信を開始する。
【００１７】
イニシャライズ期間中においてタイミングコントローラ６は走査信号ＦＬＭ，走査信号Ｍ，走査信号ＣＬ１，走査信号ＣＬ２を出力するが、このときＣＰＵ回路から出力するイニシャライズ終了信号ＩＳは「Ｌ」のままであり、イニシャライズの処理が終了するまで、ＦＬＭ’信号発生回路５から走査信号ＦＬＭ’の出力は「Ｌ」のままとなっている。イニシャライズ期間中においては、ＬＣＤモジュール７側の駆動が停止状態となり画面表示が行われない。
【００１８】
表示装置１と画像データ送信装置１１とのイニシャライズ時の通信が終了し、さらに必要な部分のイニシャライズが終了したことを確認するとＣＰＵ回路はタイミングコントローラ６を介してイニシャライズ終了信号ＩＳをＦＬＭ’信号発生回路５に出力する。すると走査信号ＦＬＭ’が走査信号ＦＬＭに同期して出力するようになり、ＬＣＤモジュール７側が駆動を開始して画面表示を行う。こうした動作によってシステムリセット直後において、ＬＣＤモジュール７の画面が乱れないようにすることができる。
【００１９】
図２は本実施例１における表示装置の走査信号ＦＬＭ’の動作を説明するタイミングチャートである。図２に示すように、表示装置はシステムクロック信号ＭＣＬＫに同期して動作しており、図１に示すタイミングコントローラ６においても、システムクロック信号ＭＣＬＫに同期し、走査信号ＣＬ１，走査信号ＦＬＭを出力する。図１のＦＬＭ’信号発生回路５は、入力する走査信号ＦＬＭと、ＣＰＵ回路からの初期化処理の終了したことを示すイニシャライズ終了信号ＩＳとの入力に応じて出力する走査信号ＦＬＭ’のタイミングを示す。
【００２０】
図３は本実施の形態の実施例２における表示装置の概略構成を示すブロック図である。ここで、前記実施例１を示す図１において説明した構成要件に対応し同等の機能を有するものには同一の符号を付して示し、以下の各図においても同様とする。
【００２１】
本実施例２において、前述した実施例１を示す図１のＦＬＭ’信号発生回路５に入力されるイニシャライズ終了信号ＩＳに代えて、データ通信を行う画像データ送信装置１１が通信処理の処理終了信号である通信処理終了信号ＩＳ’を出力し、これを入力するようにしたものである。図３に示すように、通信処理終了信号ＩＳ’に基づいてＦＬＭ’信号発生回路５から走査信号ＦＬＭ’を出力するようにしたものであり、他の構成、動作などは実施例１と同様となる。
【００２２】
本実施例２の構成によって、通信相手先となる画像データ送信装置１１の正常な通信動作の終了を確認して表示を開始することが可能となり、イニシャライズ期間中の通信時に表示装置としての信頼性を高めることができる。
【００２３】
なお、図３に示す構成では画像データ送信装置１１が出力する通信処理終了信号ＩＳ’が直接ＦＬＭ’信号発生回路５に入力する構成となっているが、表示装置１内部のＣＰＵ回路（図示せず）に通信処理終了信号ＩＳ’入力して、このＣＰＵ回路によって通信処理終了信号ＩＳ’を認識した後に、ＦＬＭ’信号発生回路５に出力する構成としてもよい。
【００２４】
図４は本実施の形態の実施例３における表示装置の概略構成を示すブロック図である。図４に示す本実施例３では、表示装置１のイニシャライズ処理の終了と、画像データ送信装置１１と間の通信処理の終了を示す各処理終了信号をともにＦＬＭ’信号発生回路５に入力して、走査信号ＦＬＮ’を出力するようにしたものであり、他の構成、動作などは実施例１と同様となる。
【００２５】
本実施例３において、実施例１の効果に加え表示装置１に、ＣＰＵ回路からのイニシャライズ終了信号ＩＳと、画像データ送信装置１１が出力する通信処理終了信号ＩＳ’と、タイミングコントローラ６が出力する走査信号ＦＬＭをＦＬＭ’信号発生回路５に入力して、初期化及び通信処理の終了により駆動を開始しＬＣＤモジュール７の画面が乱れないようにすることができ、表示装置の信頼性をさらに高めることが可能となる。
【００２６】
【発明の効果】
以上説明したように、本発明によれば、システムリセットを行って装置を立ち上げるとき、イニシャライズが必要な部分の初期化処理が終了するまで、及び／または表示装置との通信相手先の画像データ送信装置の通信処理が終了するまで、ＬＣＤモジュールの駆動を停止し、処理が終了した後の処理終了信号に基づき表示を開始するため、ＬＣＤモジュールの画面が乱れないようにすることができるという効果を奏する。
【図面の簡単な説明】
【図１】本発明の実施の形態の実施例１における表示装置の概略構成を示すブロック図
【図２】本実施例１における表示装置の走査信号ＦＬＭ’の動作を説明するタイミングチャート
【図３】本実施の形態の実施例２における表示装置の概略構成を示すブロック図
【図４】本実施の形態の実施例３における表示装置の概略構成を示すブロック図
【符号の説明】
１  表示装置
２  フレームバッファ
３  文字発生器
４  レジスタ
５  ＦＬＭ’信号発生回路
６  タイミングコントローラ
７  ＬＣＤモジュール
８  コモンドライバ
９  カラムドライバ
１０  ＬＣＤパネル
１１  画像データ送信装置
【図１】
2005024882.tif 000003
【図２】
2005024882.tif 000004
【図３】
2005024882.tif 000005
【図４】
2005024882.tif 000006